(57)【特許請求の範囲】
【請求項１】
画像および該画像の撮影時期を示す情報を含む撮影画像情報が複数供給され、該供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成装置であって、
前記インデックスアルバム冊子が、該インデックスアルバム冊子を構成するページ部の数が予め定められたものであり、  各画像を、予め定められた期間単位毎に区分された複数の期間のうちの前記画像の撮影時期に対応する１つの期間に振り分ける振分け手段と、
各ページ部中には、前記１つの期間に振り分けた画像のみが表示されるように各期間に振り分けた各画像を撮影順に表示する表示制御手段と、
前記表示制御手段により各画像を表示させたときに前記予め定められた数のページ部からなるインデックスアルバム冊子中に前記画像の全てを表示可能とし、かつ、前記画像が表示されない余りのページ部の数を最小とするように、予め用意された複数種類の期間単位のうちから１種類の期間単位を選択する選択手段とを備え、
前記振分け手段が、各画像を、前記選択された期間単位毎に区分された複数の期間のうちの前記画像の撮影時期に対応する１つの期間に振り分けるものであることを特徴とするインデックスアルバム冊子作成装置。
【請求項２】
前記期間単位が、日、週、月であることを特徴とする請求項１記載のインデックスアルバム冊子作成装置。
【請求項３】
前記期間単位が、一日のうちの午前と一日のうちの午後、または一日のうちの日中と一日のうちの夜間であることを特徴とする請求項１記載のインデックスアルバム冊子作成装置。
【請求項４】
前記インデックスアルバム冊子が複数の見開きページを有すものであり、該見開きページが前記各ページ部であることを特徴とする請求項１から３のいずれか１項記載のインデックスアルバム冊子作成装置。
【請求項５】
画像および該画像の撮影時期を示す情報を含む撮影画像情報が複数供給され、該供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成方法であって、
前記インデックスアルバム冊子が、該インデックスアルバム冊子を構成するページ部の数が予め定められたものであり、  各画像を表示させたときに前記予め定められた数のページ部からなるインデックスアルバム冊子中に前記画像の全てを表示可能とし、かつ、前記画像が表示されない余りのページ部の数を最小とするように、予め用意された複数種類の期間単位のうちから１種類の期間単位を選択し、
各画像を、前記選択された期間単位毎に区分された複数の期間のうちの前記画像の撮影時期に対応する１つの期間に振り分け、
各ページ部中には、前記１つの期間に振り分けた画像のみが表示されるように各期間に振り分けた各画像を撮影順に表示することを特徴とするインデックスアルバム冊子作成方法。
【請求項６】
画像および該画像の撮影時期を示す情報を含む撮影画像情報が複数供給され、該供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成方法をコンピュータに実行させるためのプログラムであって、
前記インデックスアルバム冊子が、該インデックスアルバム冊子を構成するページ部の数が予め定められたものであり、  各画像を表示させたときに前記予め定められた数のページ部からなるインデックスアルバム冊子中に前記画像の全てを表示可能とし、かつ、前記画像が表示されない余りのページ部の数を最小とするように、予め用意された複数種類の期間単位のうちから１種類の期間単位を選択する手順と、
各画像を、前記選択された期間単位毎に区分された複数の期間のうちの前記画像の撮影時期に対応する１つの期間に振り分ける手順と、
各ページ部中には、前記１つの期間に振り分けた画像のみが表示されるように各期間に振り分けた各画像を撮影順に表示する手順とを実行することを特徴とするインデックスアルバム冊子作成方法をコンピュータに実行させるためのプログラム。
【発明の詳細な説明】
【技術分野】
【０００１】
本発明は、供給された撮影画像情報が担持する画像を、所定数の画像が表示可能な各ページ部からなる複数のページ部に亘って撮影順に一覧表示してインデックスアルバム冊子を作成するインデックスアルバム冊子作成方法および装置ならびにインデックスアルバム冊子作成方法をコンピュータに実行させるためのプログラムに関するものである。
【背景技術】
【０００２】
従来より、デジタルカメラ等で撮影し記録媒体に記録した多数の画像を上記記録媒体から読み出して一枚のプリント用紙上に撮影順に一覧表示してなるインデックスプリントが知られている（特許文献１参照）。上記インデックスプリントには、上記記録媒体に記録した画像の全てが撮影順に表示されるので、例えば気に入った画像を選択して大判サイズでプリント注文する際に利用することができる。
【０００３】
また、各画像を、見開きページを有する書籍のような形態で一覧表示してなるインデックスアルバム冊子も検討されている。このようなインデックスアルバム冊子は上記インデックッスプリントとは異なり複数のページに亘って画像を一覧表示させるものであり、各ページ中には複数の画像が表示される。
【特許文献１】特開２００５-１１９０８３号公報
【発明の開示】
【発明が解決しようとする課題】
【０００４】
ところで、画像を複数のページ部に亘って表示させるインデックスアルバム冊子では、単に各ページ部に撮影順に画像を並べただけでは各ページ部毎の画像のまとまりがなくなってしまうおそれがある。例えば、卒業式で撮影し取得した２枚の画像が互に異なる２つのページ部に表示されるおそれがある。そこで、例えば、日、あるいは月等の期間単位に区切って各画像表示させて、より見やすいインデックスアルバム冊子を作成したいという要請がある。
【０００５】
本発明は、上記事情に鑑みてなされたものであり、インデックスアルバム冊子の表示品質をより高めることができるインデックスアルバム冊子作成方法および装置ならびにインデックスアルバム冊子作成方法をコンピュータに実行させるためのプログラムを提供することを目的とするものである。
【課題を解決するための手段】
【０００６】
本発明のインデックスアルバム冊子作成装置は、画像および該画像の撮影時期を示す情報を含む撮影画像情報が複数供給され、供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成装置であって、各画像を、予め定められた期間単位毎に区分された複数の期間のうちの前記画像の撮影時期に対応する１つの期間に振り分ける振分け手段と、各ページ部中には、前記１つの期間に振り分けた画像のみが表示されるように各期間に振り分けた各画像を撮影順に表示する表示制御手段とを備えたことを特徴とするものである。
【０００７】
前記期間単位は、日、週、月としたり、一日のうちの午前と一日のうちの午後、一日のうちの日中と一日のうちの夜間としたりすることができる。
【０００８】
前記インデックスアルバム冊子を構成するページ部の数が予め定められており、上記インデックスアルバム冊子作成装置には、表示制御手段により各画像を表示させたときに予め定められた数のページ部からなるインデックスアルバム冊子中に前記画像の全てを表示可能とし、かつ、前記画像が表示されない余りのページ部の数を最小とするように、予め用意された複数種類の期間単位のうちから１種類の期間単位を選択する選択手段を備えるようにし、振分け手段は、各画像を、前記選択された期間単位毎に区分された複数の期間のうちの前記画像の撮影時期に対応する１つの期間に振り分けるものとすることができる。
【０００９】
前記インデックスアルバム冊子が複数の見開きページを有すものであり、その見開きページは前記各ページ部とすることができる。
【００１０】
本発明のインデックスアルバム冊子作成方法は、画像および該画像の撮影時期を示す情報を含む撮影画像情報が複数供給され、供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成方法であって、各画像を、予め定められた期間単位毎に区分された複数の期間のうちの前記画像の撮影時期に対応する１つの期間に振り分け、各ページ部中には、前記１つの期間に振り分けた画像のみが表示されるように各期間に振り分けた各画像を撮影順に表示することを特徴とするものである。
【００１１】
本発明のインデックスアルバム冊子作成方法をコンピュータに実行させるためのプログラムは、画像および該画像の撮影時期を示す情報を含む撮影画像情報が複数供給され、供給された複数の撮影画像情報が担持する各画像を、所定数の画像が表示可能な各ページ部からなる複数のページ部に亘って撮影順に一覧表示してインデックスアルバム冊子を作成するインデックスアルバム冊子作成方法をコンピュータに実行させるためのプログラムであって、各画像を、予め定められた期間単位毎に区分された複数の期間のうちの前記画像の撮影時期に対応する１つの期間に振り分ける手順と、各ページ部中には、前記１つの期間に振り分けた画像のみが表示されるように各期間に振り分けた各画像を撮影順に表示する手順とを実行することを特徴とするものである。
【００１２】
前記撮影画像情報が担持する画像は被写体を撮影して得られたものである。
【００１３】
前記画像の表示は、画像を印刷して表示する方式や、画像を感光材料上に露光しその感光材料を現像して表示する方式を採用することができる。
【発明の効果】
【００１４】
本発明のインデックスアルバム冊子作成方法および装置ならびにプログラムによれば、各画像を、予め定められた期間単位毎に区分された複数の期間のうちの上記画像の撮影時期に対応する１つの期間に振り分けて、各ページ部中には、１つの期間に振り分けた画像のみが表示されるように各期間に振り分けた各画像を撮影順に表示するようにしたので、上記表示された画像の各期間単位毎のまとまりを容易に識別することができ、インデックスアルバム冊子の表示品質をより高めることができる。
【００１５】
前記期間単位を、日、週、月としたり、一日のうちの午前と一日のうちの午後、一日のうちの日中と一日のうちの夜間とすれば、上記表示された画像の検索をより容易に実行することができ、インデックスアルバム冊子の表示品質をより確実に高めることができる。
【００１６】
また、前記インデックスアルバム冊子を構成するページ部の数が予め定められており、各画像を表示させたときに上記予め定められた数のページ部からなるインデックスアルバム冊子中へ上記画像の全てを表示可能とし、かつ、画像が表示されない余りのページ部の数を最小とするように、予め用意された複数種類の期間単位のうちから１種類の期間単位を選択し、各画像を、上記選択された期間単位毎に区分された複数の期間のうちの上記画像の撮影時期に対応する１つの期間に振り分けるようにすれば、インデックスアルバム冊子を構成するページ部中に撮影画像情報が担持する全ての画像をより確実に表示させることができ、かつ、何も表示されていないページ部をより確実に少なくすることができるので、インデックスアルバム冊子の表示品質を低下させることなく表示効率を高めることができる。
【発明を実施するための最良の形態】
【００１７】
以下、本発明の実施の形態について図面を用いて説明する。図１は本発明のインデックスアルバム冊子作成方法を実施するインデックスアルバム冊子作成装置の概略構成を示すブロック図、図２は時間軸上に期間単位毎に区分された複数の期間および画像の撮影時期を示した図、図３は１つの期間に振り分けた画像のみを各ページ部中に表示させた様子を示す図である。
【００１８】
本発明のインデックスアルバム冊子作成装置１００は、外部から供給された複数の撮影画像情報が担持する各画像を、所定数の画像が表示可能な各ページ部からなる複数のページ部Ｐ１、Ｐ２、・・・に亘って撮影順に一覧表示してインデックスアルバム冊子５を作成するものである。上記複数の撮影画像情報は、画像および上記画像の撮影時期を示す情報を含むものである。
【００１９】
上記撮影順は、撮影画像情報に含まれる各画像の撮影時期の時系列順である。
【００２０】
上記インデックスアルバム冊子作成装置１００は、各画像を、予め定められた期間単位毎に区分された複数の期間のうちの上記画像の撮影時期に対応する１つの期間に振り分ける振分け部１０と、各ページ部中には１つの期間に振り分けた画像のみが表示されるように各期間に振り分けた各画像を撮影順に表示する表示制御部２０とを備えている。
【００２１】
上記表示制御部２０は、この表示制御部２０の一部をなす印刷部（図示は省略）を有しており、この印刷部が後述するインデックスアルバム冊子用原紙５′に各画像を印刷し表示する。
【００２２】
上記インデックスアルバム冊子作成装置１００の外部には、デジタルカメラ等で被写体を撮影して得た各画像と各画像の撮影時期を示す付帯情報を含む撮影画像情報が記録されたリムーバブル記録メディアやＣＤ-ＲＯＭ等からなる記録媒体８９から上記撮影画像情報を入力する入力部８１と、上記入力部８１から撮影画像情報を入力し記憶するハードディスクである画像情報記憶部８２とが配置されている。
【００２３】
上記期間単位は、日、月、週、年、一日のうちの午前と一日のうちの午後、または一日のうちの日中と一日のうちの夜間等とすることができる。
【００２４】
複数種類の期間単位は期間単位記憶部８３に記憶されており、外部からの指令により上記期間単位のうちの１つが振分け部１０に入力される。
【００２５】
上記インデックスアルバム冊子作成装置１００によりインデックスアルバム冊子５を作成する作用について説明する。ここでは、振分け部１０に期間単位「１日」が入力された場合について説明するが、他の期間単位についても上記インデックスアルバム冊子５を作成する作用は同様である。
【００２６】
上記画像情報記憶部８２に記憶された各画像および各画像の撮影時期ｔを示す付帯情報が振分け部１０に入力される。すなわち、撮影時期ｔ１の画像Ｇ（ｔ１）、撮影時期ｔ２の画像Ｇ（ｔ２）、・・・が振分け部１０に入力される。ここでは、各画像の撮影時期を示す付帯情報が撮影画像情報に含まれている。
【００２７】
一方、外部からの指令により期間単位記憶部８３に記憶された期間単位「１日」が振分け部１０に入力される。
【００２８】
図２は、時間軸Ｔ上に、期間単位である１日毎に区分された時系列順に連続する複数の期間と各画像の撮影時期とを示した図である。
【００２９】
上記図２に示すように、振分け部１０は、各画像Ｇ（ｔ１）、Ｇ（ｔ２）・・・を、１日毎に区分された複数の期間に振り分ける。すなわち、各画像Ｇ（ｔ１）、Ｇ（ｔ２）・・・を、１日毎に区分された時系列順に連続する期間Ｗａ、Ｗｂ、・・・のうちの上記各画像Ｇ（ｔ１）、Ｇ（ｔ２）・・・の撮影時期ｔ１、ｔ２・・・に対応する１つの期間に振り分ける。
【００３０】
なお、ここでは、上記所定数はいずれのページ部についても１２とする。すなわち、所定数の画像が表示可能な各ページ部Ｐ１、Ｐ２、・・・それぞれには１２の画像が表示可能である。しかしながら、このように各ページ部に表示可能な画像の数が同じである場合に限らず、各ページ部に表示可能な画像の数を互に異なるものとするように上記所定数を設定してもよい。
【００３１】
ここで、例えば、１０個の画像Ｇ（ｔ１）〜画像Ｇ（ｔ10）が２００６年１月１日に撮影されたものであり、２０個の画像Ｇ（ｔ11）〜画像Ｇ（ｔ30）が２００６年１月２日に撮影されたものであり、１０個の画像Ｇ（ｔ31）〜画像Ｇ（ｔ40）が２００６年１月１５日に撮影された画像であり、画像Ｇ（ｔ41）〜画像Ｇ（ｔ49）が２００６年２月１１日に撮影されたものであるとする。
【００３２】
上記振分け部１０は、撮影時期が２００６年１月１日である情報を付帯する１０個の画像Ｇ（ｔ１）〜画像Ｇ（ｔ10）を、時系列順に連続する期間単位のうちの１つである期間Ｗａに振分ける。また、撮影時期が２００６年１月２日である情報を付帯する２０個の画像Ｇ（ｔ11）〜画像Ｇ（ｔ30）を期間Ｗｂに振分ける。さらに、撮影時期が２００６年１月１５日である情報を付帯する１０個の画像Ｇ（ｔ31）〜画像Ｇ（ｔ40）を期間Ｗｅに振分ける。最後に、撮影時期が２００６年２月１１日である情報を付帯する９個の画像Ｇ（ｔ41）〜画像Ｇ（ｔ49）を期間Ｗｈに振分ける。
【００３３】
そして、図３に示すように、表示制御部２０が、１つの期間に振り分けた画像のみが各ページ部中に表示されるように各画像を撮影順に表示する。
【００３４】
すなわち、期間Ｗａに振り分けた画像のみがページ部中に表示されるように、上記期間Ｗａに振り分けられた画像Ｇ（ｔ１）〜画像Ｇ（ｔ10）をインデックスアルバム冊子用原紙５′の１ページ目であるページ部Ｐ１に表示する。
【００３５】
ここでは、１０個の画像をページ部Ｐ１の先頭表示領域である左上から撮影順に連続表示させた場合を示す。上記のように表示した結果、ページ部Ｐ１の最後に２画像分の余白が生じる。
【００３６】
なお、ページ部の先頭表示領域は、所定数の画像を表示可能なページ部中へ所定数の画像を表示させたときに最も撮影順の古い画像が表示される領域である。
【００３７】
また、ページ部の先頭表示領域から連続表示させるとは、所定数の画像を表示可能なページ部中における所定数の画像表示領域に対し、上記先頭表示領域から順番に間を空けることなく画像を表示させることを意味する
なお、上記撮影順の表示は、各画像の表示領域の重心位置を基準にして定めている。例えば、画像を示す領域が長方形の場合には、この長方形の互に異なる２つの対角線の交点の位置が上記画像の重心位置となる。
【００３８】
上記撮影順の表示は、ページ部のより上側（図中矢印＋Ｙ方向）の位置により過去に遡った時刻に撮影された画像が表示されるように設定されている。なお、上記撮影順の表示は、左右方向より上下方向の優先度を高く設定しているので、２つの画像の重心位置を上下方向（図中矢印±Ｙ方向）に一致させて各画像を表示させる場合には、ページ部のより左側（図中矢印＋Ｘ方向）により過去に遡った時刻に撮影された画像が表示されるように設定されている。
【００３９】
換言すれば、撮影順の表示は、インデックスアルバム冊子用原紙５′のより下側（図中矢印-Ｙ方向）により新しい時刻に撮影された画像の重心位置を位置させるように設定されている。また、上記撮影順の表示は、２つの画像の重心位置をページ部の上下方向（図中矢印±Ｙ方向）に一致させて各画像を表示させる場合にはページ部のより右側（図中矢印-Ｘ方向）により新しい時刻に撮影された画像が表示されるように設定されている。なお、上記時刻は、各画像の付帯する撮影時期が示す時刻に対応するものである。
【００４０】
しかしながら、必ずしも上記のように表示させる場合に限らず、撮影順の表示は上記とは異なる基準によって定めるようにしてもよい。また、画像を連続表示させることなく画像と画像との間に１画像分の表示領域を置いて表示してもよい。さらに、先頭表示領域は必ずしもページ部の左上の場合に限らず、上記先頭表示領域はページ部中のどのような領域であってもよい。
【００４１】
上記撮影順に並べる際に基準とする表示領域中の位置は必ずしも上記重心位置に限らず、上記画像を示す領域が長方形形状の場合には、画像の表示領域の左上角部等を基準にしてもよい。
【００４２】
つづいて、表示制御部２０が、期間Ｗｂに振り分けられた画像のみがページ部中に表示されるように、上記期間Ｗｂに振り分けられた２０個の画像Ｇ（ｔ11）〜画像Ｇ（ｔ30）をインデックスアルバム冊子用原紙５′の２ページ目であるページ部Ｐ２の左上の先頭表示領域から撮影順に連続表示する。このように表示した結果、１２個の画像Ｇ（ｔ11）〜画像Ｇ（ｔ22）がページ部Ｐ２に表示され、８個の画像Ｇ（ｔ23）〜画像Ｇ（ｔ30）が３ページ目であるページ部Ｐ３に表示される。そして、ページ部Ｐ３の最後に４画像分の余白が生じる。
【００４３】
上記と同様に、表示制御部２０が、期間Ｗｅに振り分けられた１０個の画像Ｇ（ｔ31）〜画像Ｇ（ｔ40）をインデックスアルバム冊子用原紙５′の４ページ目であるページ部Ｐ４の左上の先頭表示領域からから撮影順に連続表示する。上記のように表示した結果、ページ部Ｐ４の最後に２画像分の余白が生じる。
【００４４】
さらに、表示制御部２０が、期間Ｗｈに振り分けられた９個の画像Ｇ（ｔ40）〜画像Ｇ（ｔ49）をインデックスアルバム冊子用原紙５′の５ページ目であるページ部Ｐ５の左上の先頭表示領域からから時系列順に連続表示する。上記のように表示した結果、ページ部Ｐ５の最後に３画像分の余白が生じる。
【００４５】
上記のようにインデックスアルバム冊子用原紙５′に各画像を表示することにより、インデックスアルバム冊子５を作成することができる。
【００４６】
なお、上記インデックスアルバム冊子作成装置１００による実施の形態では、振分け部１０によって１つの期間に振り分けた画像を、表示制御部２０によって、上記１つの期間に振り分けた画像のみが各ページ部中に表示順に表示されるようにしたが、各ページ部中への各画像の表示順での表示は以下のようにしてもよい。
【００４７】
すなわち、上記１つの期間に振り分けた画像を撮影順に連続表示したときに撮影順が最後となる画像が表示される末尾のページ部中での上記最後の画像の表示順順番Ｎと上記末尾のページ部へ表示可能な画像の数Ｍとの比率Ｎ／Ｍを求め、その比率Ｎ／Ｍが予め定められた所定値未満の場合には、末尾ページ部中に、上記１つの期間に振り分けた画像に続けて上記１つの期間の次の期間に振り分けた画像を撮影順に連続表示させ、上記比率Ｎ／Ｍが上記所定値以上の場合には、上記次の期間に振り分けた画像を末尾ページ部の次のページ部に撮影順に連続表示させるようにしてもよい。
【００４８】
次に、前記インデックスアルバム冊子を構成するページ部の数が予め定められており、撮影画像情報が担持する画像の全てがインデックスアルバム冊子中に表示され、かつ、画像が表示されない余りのページ部の数が最小となるように表示する場合について説明する。
【００４９】
図４は上記インデックスアルバム冊子作成装置の変形例を示すブロック図であり、上記図１を用いて説明したものと同様に機能する構成要素は図１と同一の符号で示しその説明を省略する。
【００５０】
上記変形例のインデックスアルバム冊子作成装置１０１は、表示制御部２０により各画像を表示させたときに予め定められた数のページ部からなるインデックスアルバム冊子中に上記画像の全てを表示可能とし、かつ、上記画像が表示されない余りのページ部の数を最小とするように、期間単位記憶部８３に記憶させた複数種類の期間単位のうちから１種類の期間単位を選択する選択部３０と、各画像を、上記選択部３０によって選択された期間単位毎に区分された複数の期間のうちの上記画像の撮影時期に対応する１つの期間に振り分ける振分け部１０′とを備えている。
【００５１】
ここでは、インデックスアルバム冊子７を構成するページ部の数は４とする。また、期間単位記憶部８３に記憶させた複数種類の期間単位は日、月、年とする。さらに、各期間に振り分けられた各画像をページ部の先頭表示領域から撮影順に連続表示させるものとする。
【００５２】
インデックスアルバム冊子作成装置１０１に供給される撮影画像情報が示す各画像および上記画像の撮影時期を以下に示す。
【００５３】
画像Ｇ（j1）〜画像Ｇ（j7）の７個の画像は撮影時期が２００６年１月１日である情報を付帯するものである。画像Ｇ（j8）〜画像Ｇ（j25）の18個の画像は撮影時期が２００６年１月２日である情報を付帯するものである。画像Ｇ（j26）〜画像Ｇ（j30）の5個の画像は撮影時期が２００６年１月１５日である情報を付帯するものである。画像Ｇ（j31）〜画像Ｇ（j34）の4個の画像は撮影時期が２００６年２月１１日である情報を付帯するものである。
【００５４】
次に、撮影画像情報が担持する画像の全てがインデックスアルバム冊子７中に表示され、かつ、画像が表示されない余りのページ部の数が最小となるように表示する処理について説明する。
【００５５】
上記選択部３０は、期間単位記憶部８３から期間単位を入力し、画像情報記憶部８２から各画像の撮影時期ｔを示す付帯情報を入力して上記説明済みの振分け部１０と表示制御部２０とにより実行される処理を想定した処理を行う。すなわち、上記説明済みの振分け部１０により、各画像を、予め定められた期間単位毎に区分された複数の期間のうちの上記画像の撮影時期に対応する１つの期間に振り分け、表示制御部２０により、１つの期間に振り分けた画像のみが各ページ部中に表示されるように各期間に振り分けた各画像を撮影順に表示する場合を想定した処理を選択部３０が実行する。そして、期間単位を日、月、年それぞれについて、撮影画像情報が担持する画像の全てを表示させるのに必要なページ部の数を求める。
【００５６】
上記処理について、より具体的に説明する。
【００５７】
図５は、時間軸Ｔ上に、期間単位である１日、１月、１年毎に区分された時系列順に連続する複数の期間と各画像の撮影時期とを示した図、図６は期間単位に「日」を適用して１つの期間に振り分けた撮影時期のみを各ページ部中に分類した様子を示す図、図７は期間単位に「月」を適用して１つの期間に振り分けた撮影時期のみを各ページ部中に分類した様子を示す図、図８は期間単位に「年」を適用して１つの期間に振り分けた撮影時期のみを各ページ部中に分類した様子を示す図、図９は期間単位に「月」を適用して１つの期間に振り分けた画像のみを各ページ部中に表示させた様子を示す図である。
【００５８】
選択部３０は、期間単位記憶部８３に記憶された期間単位のうちの１つの期間単位である「日」を示す情報と各画像の付帯する撮影時期示す情報とを入力する。
【００５９】
上記説明済みの振分け部１０によって実行される処理と同様の振分け処理の実行により、各画像（ｊ1）〜（ｊ34）に対応する撮影時期ｊ1〜ｊ34を1日毎に区分された複数の期間のうちの１つの期間に振り分ける。
【００６０】
すなわち、図５に示すように、上記撮影時期が２００６年１月１日である情報を付帯する７個の画像Ｇ（j１）〜画像Ｇ（j7）を、時系列順に連続する１日毎の期間のうちの１つである期間Ｗａに振分ける。また、撮影時期が２００６年１月２日である情報を付帯する１８個の画像Ｇ（j8）〜画像Ｇ（j25）を期間Ｗｂに振分ける。さらに、撮影時期が２００６年１月１５日である情報を付帯する５個の画像Ｇ（j26）〜画像Ｇ（j30）を期間Ｗｅに振分ける。最後に、撮影時期が２００６年２月１１日である情報を付帯する４個の画像Ｇ（j31）〜画像Ｇ（j34）を期間Ｗｈに振分ける。
【００６１】
そして、１つの期間に振り分けられた撮影時期のみがページ部中に分類されるように各期間に振り分けた各撮影時期を各ページ部中に割り振る。
【００６２】
図６に示すように、ページＰ１には、７個の画像に対応する期間２００６年１月１日に含まれる撮影時期ｊ1〜ｊ7が配される。ページＰ２からＰ３に亘って、１８個の画像に対応する期間２００６年１月２日に含まれる撮影時期ｊ8〜ｊ25が配される。ページＰ４には、５個の画像に対応する期間２００６年１月１５日に含まれる撮影時期ｊ26〜ｊ30が配される。ページＰ５には、４個の画像に対応する期間２００６年２月１１日に含まれる撮影時期ｊ31〜ｊ34が配される。
【００６３】
次に、選択部３０は、期間単位記憶部８３に記憶された期間単位のうちの１つである期間単位「月」を示す情報を入力する。そして、上記と同様に、各画像（ｊ1）〜（ｊ34）に対応する撮影時期ｊ1〜ｊ34を１月毎に区分された複数の期間のうちの１つの期間に振り分ける。
【００６４】
すなわち、上記撮影時期が２００６年１月である情報を付帯する３０個の画像Ｇ（j１）〜画像Ｇ（j30）を、時系列順に連続する期間のうちの１つである期間Ｗｉに振分ける。また、撮影時期が２００６年２月である情報を付帯する４個の画像Ｇ（j31）〜画像Ｇ（j34）を期間Ｗｋに振分ける（図５参照）。
【００６５】
そして、１つの期間に振り分けられた撮影時期のみがページ部中に分類されるように各期間に振り分けた各撮影時期を各ページ部中に割り振る。
【００６６】
図７に示すように、ページＰ１からＰ３に亘って、３０個の画像に対応する期間２００６年１月に含まれる撮影時期ｊ1〜ｊ30が配される。ページＰ４には、４個の画像に対応する期間２００６年２月に含まれる撮影時期ｊ31〜ｊ34が配される。
【００６７】
次に、選択部３０は、期間単位記憶部８３に記憶された期間単位のうちの１つである期間単位「年」を示す情報を入力する。そして、上記と同様に、各画像（ｊ1）〜（ｊ34）に対応する撮影時期ｊ1〜ｊ34を１年毎に区分された複数の期間のうちの１つの期間に割り振る。
【００６８】
すなわち、上記撮影時期が２００６年である情報を付帯する３４個の画像に対応する画像Ｇ（j１）〜画像Ｇ（j34）を、時系列順に連続する期間単位のうちの１つである期間Ｗｒに振り分ける（図５参照）。すなわち、撮影画像情報が含む全ての画像が１つの期間に振り分けられる。
【００６９】
そして、１つの期間に振り分けられた撮影時期のみがページ部中に分類されるように各期間に振り分けた各撮影時期をページ部中に時系列順に配される。
【００７０】
図８に示すように、ページＰ１からＰ３に亘って、期間２００６年に含まれる撮影時期ｊ1〜ｊ34が配される。
【００７１】
上記のように、撮影画像情報が担持する全ての画像（ｊ1）〜（ｊ34）を表示させるのに必要なページ部の数は、期間単位を日とした場合には５（ページ）であり、期間単位を月とした場合には４（ページ）であり、期間単位を年とした場合には３（ページ）である。
【００７２】
選択部３０は、表示制御部２０により各画像を表示させたときに４つのページ部からなるインデックスアルバム冊子中に上記画像（ｊ1）〜（ｊ34）の全てを表示可能とし、かつ、上記画像が表示されない余りのページ部の数を最小とするように、上記複数種類の期間単位のうちから１種類の期間単位である「月」を選択する。
【００７３】
上記振分け部１０′は、各画像Ｇ（ｊ1）〜Ｇ（ｊ34）を、各画像の撮影時期に対応させて、選択された期間単位である月毎に区分された複数の期間である２００６年1月、２００６年２月のうちのいずれか１つの期間に振り分ける。そして、上記表示制御部２０が、１つの期間に振り分けた画像のみが各ページ部中に表示されるように期間２００６年1月に振り分けた各画像と期間２００６年２月に振り分けた各画像とを撮影順に表示する。
【００７４】
これにより、図９に示すように、インデックスアルバム冊子原紙７′中のページ部Ｐ１〜Ｐ３に期間２００６年1月に含まれる撮影時期を持つ画像Ｇ（ｊ1）〜Ｇ（ｊ24）を表示し、ページ部Ｐ４には２００６年２月に含まれる撮影時期を持つ画像Ｇ（ｊ25）〜Ｇ（ｊ30）を表示したインデックスアルバム冊子７を作成する。
【００７５】
なお、２つのページで構成される見開きページ部を上記各ページ部とみなして、上記と同様の手法を各見開きページ部で構成されるインデックスアルバム冊子に適用することができることは言うまでもない。例えば、最大１２個の画像を表示可能な上記各ページ部を、１つのページに最大６個の画像が表示可能な２ページで構成された見開きページ部とみなせば、上記説明と全く同じ処理を適用することができる。すなわち、上記処理の適用により、各見開きページ部中に１つの期間に振り分けた画像のみが表示されるようにしたインデックスアルバム冊子を作成することができる。
【００７６】
図１０は、上記のようにして作成したインデックスアルバム冊子の各見開きページ部を示す図であり、２つのページで構成される見開きページを１つのページ部とみなして作成したインデックスアルバム冊子の各見開きページ部を示す図である。
【００７７】
例えば図３に示した１２個の画像を表示可能なページ部で構成された各ページ部Ｐ１〜Ｐ５に各画像Ｇ（t1）〜Ｇ（t49）の表示したときと全く同じ手法を用いて、上記図１０に示すように１２個の画像を表示可能な見開きページ部で構成された各見開きページ部ＰＰ１〜ＰＰ５に各画像Ｇ（t1）〜Ｇ（t49）を表示することができる。
【００７８】
上記のように、本発明によれば、より見やすい表示品質をより高めたインデックスアルバム冊子を作成することができる。
【００７９】
なお、本発明のインデックスアルバム冊子作成装置の機能を実行するためのプログラムをパソコンにインストールし、パソコンにおいて上記実施形態と同様にインデックスアルバム冊子の作成を行なうことが可能である。
【図面の簡単な説明】
【００８０】
【図１】本発明のインデックスアルバム冊子作成装置の概略構成を示すブロック図
【図２】時間軸上に期間単位毎に区分された複数の期間および画像の撮影時期を示した図
【図３】１つの期間に振り分けた画像のみを各ページ部中に表示させた様子を示す図
【図４】インデックスアルバム冊子作成装置の変形例を示すブロック図
【図５】時間軸上に期間単位である１日、１月、１年毎に区分された期間と各画像の撮影時期とを示した図
【図６】期間単位に「日」を適用して、１つの期間に振り分けた撮影時期のみを各ページ部中に分類した様子を示す図
【図７】期間単位に「月」を適用して、１つの期間に振り分けた撮影時期のみを各ページ部中に分類した様子を示す図
【図８】期間単位に「年」を適用して、１つの期間に振り分けた撮影時期のみを各ページ部中に分類した様子を示す図
【図９】期間単位に「月」を適用して１つの期間に振り分けた画像のみを各ページ部中に表示させた様子を示す図
【図１０】２つのページで構成される見開きページを１つのページ部とみなして作成したインデックスアルバム冊子の各見開きページ部を示す図
【符号の説明】
【００８１】
１０    
２０    
３０    
４０    
５０    
【図１】
0004493627.tif 000002
【図２】
0004493627.tif 000003
【図３】
0004493627.tif 000004
【図４】
0004493627.tif 000005
【図５】
0004493627.tif 000006
【図６】
0004493627.tif 000007
【図７】
0004493627.tif 000008
【図８】
0004493627.tif 000009
【図９】
0004493627.tif 000010
【図１０】
0004493627.tif 000011